(57)【要約】【課題】ユーザーに対面する他人側に向く側となる前向きの画面に予め定められたコンテンツを常に表示させ、反対側となる他の画面には他のコンテンツを表示させる。【解決手段】情報処理装置１０は、互いに反対側に向けられた第１画面及び第２画面をそれぞれ有する第１表示部１１及び第２表示部１２と、第１画面が向く方向に移動される当該情報処理装置１０の第１移動状態、及び第２画面が向く方向に移動される当該情報処理装置１０の第２移動状態を検出する移動検出部（加速度センサー１５、判定部２２）と、移動検出部により第１移動状態が検出されると、第１コンテンツを第１画面に表示させると共に、第２コンテンツを第２画面に表示させ、移動検出部により第２移動状態が検出されると、第１コンテンツを第２画面に表示させると共に、第２コンテンツを第１画面に表示させる制御部２１と、を備える。【選択図】図２
2019105772.tif 000002
【特許請求の範囲】
【請求項１】
第１画面、及び当該第１画面の反対側の面となる第２画面の２つの表示画面を有する表示部と、
前記第１画面が向く方向に移動する本情報処理装置の第１移動状態、及び前記第２画面が向く方向に移動される当該情報処理装置の第２移動状態を検出する移動検出部と、
前記移動検出部により前記第１移動状態が検出されると、第１コンテンツを前記第１画面に表示させると共に、第２コンテンツを前記第２画面に表示させ、前記移動検出部により前記第２移動状態が検出されると、前記第１コンテンツを前記第２画面に表示させると共に、前記第２コンテンツを前記第１画面に表示させる制御部と、を備える情報処理装置。
【請求項２】
前記制御部は、前記移動検出部により前記第１移動状態が検出されてから前記移動検出部により前記第２移動状態が検出されるまでは、前記第１コンテンツを前記第１画面に表示させると共に前記第２コンテンツを前記第２画面に表示させた状態を維持し、前記移動検出部により前記第２移動状態が検出されてから前記移動検出部により前記第１移動状態が検出されるまでは、前記第１コンテンツを前記第２画面に表示させると共に前記第２コンテンツを前記第１画面に表示させた状態を維持する請求項１に記載の情報処理装置。
【請求項３】
前記移動検出部は、前記第１画面が向く方向に移動される当該情報処理装置の加速度及び前記第２画面が向く方向に移動される当該情報処理装置の加速度を検出するセンサーと、前記センサーにより検出された加速度に基づき、前記第１移動状態及び前記第２移動状態を判定する判定部とを含む請求項１又は請求項２に記載の情報処理装置。
【請求項４】
外部の端末装置から送信された第２コンテンツを受信する通信部と、
前記第２コンテンツを記憶する記憶部と、を備え、
前記制御部は、前記第２コンテンツを前記記憶部から読み出して前記第１画面又は前記第２画面に表示させる請求項１乃至請求項３のいずれかに記載の情報処理装置。
【請求項５】
前記情報処理装置は、携帯可能なカード型であり、
前記情報処理装置をユーザーの身体に着脱自在に取付けるための取付け部材を更に備える請求項１乃至請求項４のいずれかに記載の情報処理装置。
【発明の詳細な説明】
【技術分野】
【０００１】
本発明は、携帯可能であって、第１画面、及び当該第１画面の反対側の面となる第２画面の２つの表示画面を有する表示部を備えた情報処理装置に関し、特に該各画面の表示を切り替えるための技術に関する。
【背景技術】
【０００２】
例えば、特許文献１には、装置の正面及び背面の両面に表示画面を備える表示装置が開示されている。この表示装置では、表示パネルの枠部に制御装置と加速度センサーを設け、制御装置が、加速度センサーにより検出された当該表示装置の傾き角度に基づいて装置の正面を判定する。そして、制御装置は、正面の表示画面には、表示データに基づいた画像を表示パネルに表示し、背面の表示画面には、当該表示データを左右及び白黒を反転させた反転表示データに基づいた画像を表示パネルに表示する。
【先行技術文献】
【特許文献】
【０００３】
【特許文献１】特開２００９−０３１７３７号公報
【発明の概要】
【発明が解決しようとする課題】
【０００４】
ここで、社員証などのＩＤカードに代えて、上記のような情報処理装置を用いることが考えられる。ただし、ＩＤカードはストラップ等によりユーザーの首にぶら下げられる等により使用され、対面する他人に、顔写真、所属部署などのユーザー情報（コンテンツ）を見せる必要があるため、情報処理装置をＩＤカードの代わりとして用いる場合は、顔写真、所属部署などのユーザー情報を表示部に常に表示させることが求められる。ところが、ＩＤカードとしての上記情報処理装置をストラップでユーザーの首にぶら下げて使用する状況では、上記情報処理装置の表裏が不用意に反転して、ユーザー情報が表示されている表示面が見えなくなることがある。
【０００５】
このため、情報処理装置をＩＤカードとして適用する場合は、上記両面の表示画面にそれぞれユーザー情報を表示することが考えられる。ただし、同一のコンテンツを両面の表示画面に常に表示するので、両側の画面を有効利用しているとは言い難い。
【０００６】
本実施形態では、上記の事情に鑑みなされたものであり、例えば社員証などのＩＤカードに代えて、第１画面、及び当該第１画面の反対側の面となる第２画面の２つの表示画面を有する表示装置を、ストラップ等によりユーザーの首に掛けて使用する場合に、当該ユーザーに対面する他人側に向く側となる前向きの画面に予め定められたコンテンツを常に表示させ、反対側となる他の画面には他のコンテンツを表示させることを目的とする。
【課題を解決するための手段】
【０００７】
本発明の一局面に係る情報処理装置は、第１画面、及び当該第１画面の反対側の面となる第２画面の２つの表示画面を有する表示部と、前記第１画面が向く方向に移動する本情報処理装置の第１移動状態、及び前記第２画面が向く方向に移動される当該情報処理装置の第２移動状態を検出する移動検出部と、前記移動検出部により前記第１移動状態が検出されると、第１コンテンツを前記第１画面に表示させると共に、第２コンテンツを前記第２画面に表示させ、前記移動検出部により前記第２移動状態が検出されると、前記第１コンテンツを前記第２画面に表示させると共に、前記第２コンテンツを前記第１画面に表示させる制御部と、を備えるものである。
【発明の効果】
【０００８】
本発明によれば、例えば社員証などのＩＤカードに代えて、第１画面、及び当該第１画面の反対側の面となる第２画面の２つの表示画面を有する表示装置を、ストラップ等によりユーザーの首に掛けて使用する場合に、当該ユーザーに対面する他人側に向く側となる前向きの画面に予め定められたコンテンツを常に表示させ、反対側となる他の画面には他のコンテンツを表示させることができる。
【図面の簡単な説明】
【０００９】
【図１】（Ａ）は本発明の一実施形態にかかる情報処理装置の外観を正面側から見て示す斜視図であり、（Ｂ）は該情報処理装置の外観を背面側から見て示す斜視図である。
【図２】本実施形態にかかる情報処理装置の内部構成を示すブロック図である。
【図３】（Ａ）はユーザーが情報処理装置の第１表示部の画面を前に向けて歩く状態を示す図であり、（Ｂ）はユーザーが情報処理装置の第２表示部の画面を前に向けて歩く状態を示す図である。
【図４】情報処理装置の第１移動状態及び第２移動状態に応じてユーザー情報が表示される第１表示部及び第２表示部を切替えるための処理手順を示すフローチャートである。
【発明を実施するための形態】
【００１０】
以下、本発明の実施形態について図面を参照して説明する。
【００１１】
図１（Ａ）は本発明の一実施形態にかかる情報処理装置の外観を正面側から見て示す斜視図であり、図１（Ｂ）は該情報処理装置の外観を背面側から見て示す斜視図である。また、図２は、本実施形態にかかる情報処理装置の内部構成を示すブロック図である。
【００１２】
本実施形態の情報処理装置１０は、例えば社員証などのＩＤカードの代わりに用いられる。情報処理装置１０は、第１表示部１１と、第２表示部１２と、記憶部１３と、通信部１４と、加速度センサー１５と、制御ユニット２０とを備えている。これらの構成要素は、互いにバスを通じてデータ又は信号の送受信が可能とされている。
【００１３】
第１表示部１１及び第２表示部１２は、それぞれ、液晶ディスプレイ（ＬＣＤ：Liquid Crystal Display）や有機ＥＬ（ＯＬＥＤ：Organic Light-Emitting Diode）、電子ペーパーなどから構成されている。また、第１表示部１１及び第２表示部１２は、情報処理装置１０の本体筐体の表裏に設けられており、第１表示部１１の画面１１Ａと第２表示部１２の画面１２Ａが、互いに反対側に向けられている。すなわち、第１表示部１１及び第２表示部１２を１つの表示部１２０としてみたとき、表示部１２０は、第１画面としての第１表示部１１、及び当該第１画面の反対側の面となる第２画面としての第２表示部１２の２つの表示画面を有する。なお、第１表示部１１及び第２表示部１２の代わりに、互いに反対側に向けられたそれぞれの画面を有する単一の表示部を適用しても構わない。また、表示部１２０は、特許請求の範囲における表示部に相当する。
【００１４】
記憶部１３は、大容量の書き換え可能な不揮発性メモリー（ＥＥＰＲＯＭなど）であって、制御プログラムや第１表示部１１及び第２表示部１２に表示される複数のコンテンツを記憶している。
【００１５】
通信部１４は、通信インターフェイスであって、外部の発信機（ビーコン）やサーバーなどとの間でデータ通信を行う。
【００１６】
加速度センサー１５は、既知の３軸の加速度センサーであり、Ｘ軸の方向の加速度を検出して、当該方向の加速度を示す検出信号ＸＳを出力する。加速度センサー１５が情報処理装置１０に内蔵されているので、この加速度センサー１５により情報処理装置１０に作用した３方向の加速度が検出されることとなる。
【００１７】
制御ユニット２０は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。制御ユニット２０は、上記のＲＯＭ又は記憶部１３に記憶された制御プログラムが上記プロセッサーで実行されることにより、制御部２１、判定部２２、及び通信制御部２３として機能する。尚、制御ユニット２０の上記の各構成要素は、前述の制御プログラムに基づく動作によらず、それぞれハード回路により構成されてもよい。
【００１８】
制御部２１は、全体的な動作制御を行うが、主に第１表示部１１及び第２表示部１２の表示制御を行う。通信制御部２３は、通信部１４の通信動作を制御する機能を有する。
【００１９】
判定部２２は、加速度センサー１５から検出信号ＸＳを受け取って、当該検出信号に基づき、情報処理装置１０の変位を判定する。
【００２０】
例えば、図１（Ａ）（Ｂ）に示すように、第１表示部１１の画面１１Ａが向く方向及び第２表示部１２の画面１２Ａが向く方向は、Ｘ軸の方向に一致するものとする。更に、第１表示部１１の画面１１Ａが向く方向がＸ軸の正方向であり、第２表示部１２の画面１２Ａが向く方向がＸ軸の負方向であるものとする。
【００２１】
そして、加速度センサー１５は、第１表示部１１の画面１１Ａが向くＸ軸の正方向に情報処理装置１０が移動し始めたときには、正方向への移動の加速度として、＋（正）の検出信号ＸＳを出力する。また、加速度センサー１５は、第２表示部１２の画面１２Ａが向くＸ軸の負方向に情報処理装置１０が移動し始めたときには、負方向への移動の加速度として、−（負）の検出信号ＸＳを出力する。つまり、加速度センサー１５は、情報処理装置１０において、このような条件で＋（正）の検出信号ＸＳ及び−（負）の検出信号ＸＳを出力する向き及び位置に配設されている。
【００２２】
判定部２２は、加速度センサー１５の検出信号ＸＳに基づき、第１表示部１１の画面１１Ａが向くＸ軸の正方向に移動される情報処理装置１０の第１移動状態、及び第２表示部１２の画面１２Ａが向くＸ軸の負方向に移動される情報処理装置１０の第２移動状態を判定する。
【００２３】
例えば、図３（Ａ）に示すようにユーザーが情報処理装置１０の第１表示部１１の画面１１Ａを前に向けて歩き始めた場合は、第１表示部１１の画面１１Ａが向くＸ軸の正方向に情報処理装置１０が加速され、加速度センサー１５からは＋の検出信号ＸＳが出力される。判定部２２は、当該＋の検出信号ＸＳのレベルが予め設定された正の閾値ＳＨ１を超えるか否かを判断する。判定部２２は、当該＋の検出信号ＸＳのレベルが正の閾値ＳＨ１を超えたと判断したときに、情報処理装置１０が第１移動状態であると判定する。
【００２４】
また、図３（Ｂ）に示すようにユーザーが情報処理装置１０の第２表示部１２の画面１２Ａを前に向けて歩き始めた場合は、第２表示部１２の画面１２Ａが向くＸ軸の負方向に情報処理装置１０が加速され、加速度センサー１５からは−の検出信号ＸＳが出力される。判定部２２は、この−の検出信号ＸＳが予め設定された負の閾値ＳＨ２を下回るか否かを判断する。判定部２２は、その−の検出信号ＸＳのレベルが負の閾値ＳＨ２を下回ると判断したとき、情報処理装置１０が第２移動状態であると判定する。このように、判定部２２は、図３（Ａ）に示す第１移動状態及び図３（Ｂ）に示す第２移動状態を識別する。なお、加速度センサー１５及び判定部２２は、特許請求の範囲における移動検出部に相当する。
【００２５】
このような構成の情報処理装置１０では、顔写真、所属部署などのユーザー情報（コンテンツ）及び他のコンテンツが記憶部１３に予め記憶されており、判定部２２が第１移動状態を判定すると、制御部２１が、記憶部１３からーザー情報及び他のコンテンツを読み出して、ユーザー情報を第１表示部１１の画面１１Ａに表示させると共に、他のコンテンツを第２表示部１２の画面１２Ａに表示させる。また、制御部２１は、判定部２２が第２移動状態を判定すると、記憶部１３からーザー情報及び他のコンテンツを読み出して、ユーザー情報を第２表示部１２の画面１２Ａに表示させると共に、他のコンテンツを第１表示部１１の画面１１Ａに表示させる。
【００２６】
制御部２１によるこのような制御により、図３（Ａ）に示すように、例えば社員証などのＩＤカードに代えて、情報処理装置１０を、ストラップ等によりユーザーの首に掛けて使用する場合には、上記第１状態では、ユーザー情報が表示される第１表示部１１の画面１１Ａが、当該ユーザーに対面する他人側に向く側となる前向きとなる。また、図３（Ｂ）に示すように、第２移動状態では、第２表示部１２の画面１２Ａにユーザー情報が表示されて、当該第２表示部１２の画面１２Ａが前向きとなる。これにより、ユーザー情報が他人から常に見えるように表示される。
【００２７】
また、ユーザーは、立ち止まって情報処理装置１０を手に持ち、第１表示部１１の画面１１Ａ及び第２表示部１２の画面１２Ａをそれぞれ自分の側に向けることで、画面１１Ａ及び画面１２Ａに表示される各コンテンツを見ることができる。
【００２８】
次に、そのような情報処理装置１０の第１移動状態及び第２移動状態に応じてユーザー情報が表示される第１表示部１１及び第２表示部１２を切替えるための処理手順を、図４に示すフローチャートを参照して説明する。
【００２９】
まず、例えば、制御ユニット２０のＲＡＭには、「０」に初期設定された表示フラッグＦが記憶されているものとする（Ｓ１０１）。この表示フラッグＦの値は、「０」及び「１」のいずれかに切り替えられ、表示フラッグＦの「０」が第１移動状態に対応し、表示フラッグＦの「１」が第２移動状態に対応する。
【００３０】
制御部２１は、初期設定された表示フラッグＦの「０」が第１移動状態に対応するので、ユーザー情報及び他のコンテンツを記憶部１３から読み出して、ユーザー情報を第１表示部１１の画面１１Ａに表示させると共に、他のコンテンツを第２表示部１２の画面１２Ａに表示させる（Ｓ１０２）。
【００３１】
このような表示状態で、ユーザーは、情報処理装置１０のストラップＳＴを自分の首に掛けて、情報処理装置１０をぶら下げ、ユーザー情報が表示されている第１表示部１１の画面１１Ａを前向きにして、ユーザー情報が他人から見えるようにする。
【００３２】
ここで、ユーザーが移動すると、加速度センサー１５からは＋又は−の検出信号ＸＳが出力される（Ｓ１０３）。このとき、判定部２２は、加速度センサー１５の検出信号ＸＳを受け取って、この検出信号ＸＳが＋であり、この＋の検出信号ＸＳのレベルが正の閾値ＳＨ１を超えると判断すると、情報処理装置１０が第１移動状態であると判定する。また、判定部２２は、検出信号ＸＳが−であり、この−の検出信号ＸＳのレベルが負の閾値ＳＨ２を下回ると判断したときは、情報処理装置１０が第２移動状態であると判定する。更に、判定部２２は、＋の検出信号ＸＳのレベルが正の閾値ＳＨ１を超えることなく、−の検出信号ＸＳのレベルが負の閾値ＳＨ２を下回ることもなければ、情報処理装置１０がＸ軸の方向に移動していない移動無状態であると判定する（Ｓ１０４）。
【００３３】
例えば、ユーザーが移動しないか又は殆ど移動しない状況では、加速度センサー１５により加速度が検出されても（Ｓ１０３）、加速度センサー１５の検出信号ＸＳのレベル変動が小さくて、＋の検出信号ＸＳのレベルが正の閾値ＳＨ１を超えることはなく、−の検出信号ＸＳのレベルが負の閾値ＳＨ２を下回ることもない。この場合、判定部２２は移動無状態であると判定し（Ｓ１０４で移動無状態）、表示フラッグＦの「０」を維持する（Ｓ１０５）。この場合は、Ｓ１０３〜Ｓ１０５の処理が繰り返されて、第１表示部１１の画面１１Ａにおけるユーザー情報の表示及び第２表示部１２の画面１２Ａにおける他のコンテンツの表示が継続される。
【００３４】
また、ユーザー情報が表示されている第１表示部１１の画面１１Ａを前向きにして、ユーザーが前方に歩き始めると、加速度センサー１５から＋の検出信号ＸＳが出力されて（Ｓ１０３）、この＋の検出信号ＸＳのレベルが正の閾値ＳＨ１を超え、判定部２２は第１移動状態であると判定する（Ｓ１０４で第１移動状態）。制御部２１は、判定部２２により第１移動状態が判定されると、表示フラッグＦの「０」を設定し（Ｓ１０６）、よって表示フラッグＦの「０」を維持し、表示フラッグＦの「０」に基づき、第１表示部１１の画面１１Ａにおけるユーザー情報の表示及び第２表示部１２の画面１２Ａにおける他のコンテンツの表示を継続させて（Ｓ１０７）、ステップＳ１０３の処理に戻る。
【００３５】
また、ストラップでユーザーの首にぶら下げている情報処理装置１０の表裏が、例えば、ふとしたはずみで反転したものとすると、ユーザーは、他のコンテンツが表示されている第２表示部１２の画面１２Ａを前向きにして前方に歩く状態になったとする。このとき、情報処理装置１０にはＸ軸の負方向の加速が作用するとして、加速度センサー１５は、−の検出信号ＸＳを出力する（Ｓ１０３）、この−の検出信号ＸＳのレベルが負の閾値ＳＨ２を下回ると、判定部２２は、第２移動状態であると判定する（Ｓ１０４で第２移動状態）。制御部２１は、判定部２２により第２移動状態が判定されると、表示フラッグＦを「０」から「１」に切替え（Ｓ１０８）、表示フラッグＦの「１」に基づき、ユーザー情報を第２表示部１２の画面１２Ａに表示させると共に、他のコンテンツを第１表示部１１の画面１１Ａに表示させて（Ｓ１０９）、ステップＳ１０３の処理に戻る。
【００３６】
そして、ユーザーが移動しないか又は殆ど移動しなくなると、加速度センサー１５により加速度が検出されても（Ｓ１０３）、加速度センサー１５の検出信号ＸＳのレベル変動が小さくて、−の検出信号ＸＳのレベルが負の閾値ＳＨ２を下回ることはなく、＋の検出信号ＸＳのレベルが正の閾値ＳＨ１を超えることもなく、判定部２２が移動無状態を判定するので（Ｓ１０４で移動無状態）、表示フラッグＦの「１」が維持される（Ｓ１０５）。この後、Ｓ１０３〜Ｓ１０５の処理が繰り返されると、第２表示部１２の画面１２Ａにおけるユーザー情報の表示及び第１表示部１１の画面１１Ａにおける他のコンテンツの表示が継続される。
【００３７】
また、ストラップでユーザーの首にぶら下げている情報処理装置１０の表裏が再度反転したものとすると、ユーザーは、他のコンテンツが表示されている第１表示部１１の画面１１Ａを前向きにして前方に歩くこととなる。このとき、情報処理装置１０にはＸ軸の正方向の加速が作用するとして、加速度センサー１５は、＋の検出信号ＸＳを出力する（Ｓ１０３）。この＋の検出信号ＸＳのレベルが正の閾値ＳＨ１を超えると、判定部２２が第１移動状態を判定する（Ｓ１０４で第１移動状態）。制御部２１は、判定部２２により第１移動状態が判定されると、表示フラッグＦを「１」から「０」に切替え設定し（Ｓ１０６）、表示フラッグＦの「０」に基づき、ユーザー情報を第１表示部１１の画面１１Ａに表示させると共に、他のコンテンツを第２表示部１２の画面１２Ａに表示させて（Ｓ１０７）、ステップＳ１０３の処理に戻る。
【００３８】
以降、情報処理装置１０の表裏が反転して、ユーザーが前方に歩くと、情報処理装置１０に加速度が作用して、第１移動状態又は第２移動状態が判定され、第１移動状態が判定されると、ユーザー情報が第１表示部１１の画面１１Ａに表示されると共に、他のコンテンツが第２表示部１２の画面１２Ａに表示され、また第２移動状態が判定されると、ユーザー情報が第２表示部１２の画面１２Ａに表示されると共に、他のコンテンツが第１表示部１１の画面１１Ａに表示される。
【００３９】
このように本実施形態の情報処理装置１０では、情報処理装置１０が第１移動状態及び第２移動状態のいずれにあるかを判定し、つまり第１表示部１１の画面１１Ａ及び第２表示部１２の画面１２Ａのいずれが前向きであるかを判定し、前向きとなっている表示部の画面にユーザー情報を表示しているので、ユーザー情報を他人から常に見えるようにすることができる。また、ユーザーは、情報処理装置１０を手に持って、第１表示部１１の画面１１Ａ及び第２表示部１２の画面１２Ａに表示されているそれぞれのコンテンツを見ることができる。
【００４０】
なお、上記実施形態では、記憶部１３に予め記憶されている複数のコンテンツを切替え表示しているが、外部の発信機（ビーコンなど）から送信されたコンテンツを情報処理装置１０の通信部１４で受信して、制御部２１が、受信した各コンテンツを記憶部１３に記憶させて第１表示部１１の画面１１Ａ又は第２表示部１２の画面１２Ａに表示させてもよい。
【００４１】
例えば、食堂や会議室などに設置された発信機から食堂や会議室の情報（コンテンツ）が情報処理装置１０に送信されると、情報処理装置１０では、このコンテンツを通信部１４で受信する。制御部２１は、このコンテンツを記憶部１３に記憶させ、ユーザー情報を第１表示部１１の画面１１Ａ又は第２表示部１２の画面１２Ａの一方に表示させると共に、他方にそのコンテンツを記憶部１３から読み出して表示させる。
【００４２】
あるいは、制御部２１は、コンテンツを、通信制御部２３及び通信部１４を通じて外部のサーバーから受信して、このコンテンツを記憶部１３に記憶させ、判定部２２による判定結果に応じて、コンテンツを記憶部１３から読み出して、第１表示部１１の画面１１Ａ又は第２表示部１２の画面１２Ａの一方に表示させるものとしてもよい。
【００４３】
また、他の実施形態として、様々なコンテンツを、Ｙ軸方向（縦方向）の揺動並びに揺動回数やＺ軸方向（横方向）の揺動並びに揺動回数に対応付けて記憶部１３に記憶しておき、判定部２２が、加速度センサー１５の各検出信号ＹＳ（Ｙ軸の方向への揺動を示す信号）、ＺＳ（Ｚ軸の方向への揺動を示す信号）に基づき情報処理装置１０のＹ軸方向の揺動並びに揺動回数やＺ軸方向の揺動並びに揺動回数を判定し、制御部２１が、判定された方向の揺動並びに揺動回数に対応するコンテンツを記憶部１３から読み出して、このコンテンツを、第１表示部１１及び第２表示部１２のうちのユーザー情報が表示されていない方の表示部の画面に表示させるようにしてもよい。この場合、ユーザーは、情報処理装置１０を手に持って、情報処理装置１０をＹ軸方向又はＺ軸方向に揺動させることにより、様々なコンテンツをユーザー情報が表示されていない方の表示部の画面に表示させて見ることができる。
【００４４】
すなわち、当該他の実施形態では、各検出信号ＹＳ（Ｙ軸の方向への揺動を示す信号）、ＺＳ（Ｚ軸の方向への揺動を示す信号）を出力可能な加速度センサー１５が用いられる。
【００４５】
また、制御部２１は、情報処理装置１０の電池の電圧が低下して、第１表示部１１又は第２表示部１２によるコンテンツの切替え表示が困難となる直前に、電池の消耗を表示部１２に表示させてもよい。例えば、制御部２１は、電池の電圧を予め設定された閾値と比較して、電池の電圧が閾値まで低下すると、電池の消耗を示すメッセージなどを第１表示部１１及び第２表示部１２の少なくとも一方に表示させる。
【００４６】
また、一般的なＩＣカードと同様のＩＣチップを情報処理装置１０に内蔵させたり、情報処理装置１０の本体筐体の外側に識別情報を示すバーコードや磁気ストライプを設けたりしても構わない。
【００４７】
また、図１乃至図４を用いて説明した上記実施形態の構成は、本発明の一例に過ぎず、本発明を当該構成に限定する趣旨ではない。
【符号の説明】
【００４８】
１０    情報処理装置
１２０  表示部
１１    第１表示部
１２    第２表示部
１３    記憶部
１４    通信部
１５    加速度センサー
２０    制御ユニット
２１    制御部
２２    判定部
２３    通信制御部
【図１】
2019105772.tif 000003
【図２】
2019105772.tif 000004
【図３】
2019105772.tif 000005
【図４】
2019105772.tif 000006